(57)【要約】【課題】省エネルギー化を図りながら、温水利用端末の運転を行うための熱源として、貯湯タンクに貯湯されている温水を有効に活用すること。【解決手段】運転制御部５は、貯湯タンク２の温水温度がモード判別用設定温度未満の場合に、補助加熱部１０による加熱を行い、温水供給部４によって、補助加熱部１０にて加熱された温水を熱源とする加熱温水を温水利用端末１４，１５に供給する加熱供給モードでの温水供給運転を行い、貯湯タンク２の温水温度がモード判別用設定温度以上の場合に、補助加熱部１０による加熱を行わず、温水供給部４によって、貯湯タンク２の温水をそのまま熱源とする非加熱温水を温水利用端末１４，１５に供給する非加熱供給モードでの温水供給運転を行うように構成され、モード判別用設定温度は、温水利用端末１４，１５に要求される要求温度よりも低温の温度範囲内で変更設定自在に構成されている。【選択図】図１
2014181830.tif 000002
【特許請求の範囲】
【請求項１】
熱と電力を発生する熱電併給装置と、その熱電併給装置にて発生する熱を温水として貯湯する貯湯タンクと、その貯湯タンクに貯湯されている温水を熱源とする温水の供給を受けて運転を行う温水利用端末と、前記貯湯タンクに貯湯されている温水を熱源とする温水を前記温水利用端末に供給する温水供給部と、温水を加熱自在な補助加熱部と、前記温水供給部及び前記補助加熱部の作動を制御して前記温水利用端末に温水を供給する温水供給運転を行う運転制御部とが備えられ、
前記運転制御部は、前記貯湯タンクの温水温度がモード判別用設定温度以上か否かを判別する温度判別処理を行い、
前記貯湯タンクの温水温度が前記モード判別用設定温度未満の場合に、前記補助加熱部による加熱を行い、前記温水供給部によって、前記補助加熱部にて加熱された温水を熱源とする加熱温水を前記温水利用端末に供給する加熱供給モードでの温水供給運転を行い、
前記貯湯タンクの温水温度が前記モード判別用設定温度以上の場合に、前記補助加熱部による加熱を行わず、前記温水供給部によって、前記貯湯タンクの温水をそのまま熱源とする非加熱温水を前記温水利用端末に供給する非加熱供給モードでの温水供給運転を行うように構成され、
前記モード判別用設定温度については、前記温水利用端末に要求される要求温度よりも低温の温度範囲内で変更設定自在に構成されている熱供給設備。
【請求項２】
前記モード判別用設定温度は、前記熱電併給装置の種類に応じて変更設定自在に構成されている請求項１に記載の熱供給設備。
【請求項３】
装備される前記熱電併給装置の種類についての種類情報を入力自在な人為操作式の入力部が備えられ、前記運転制御部は、前記入力部に入力された熱電併給装置の種類情報に応じて、前記モード判別用設定温度を変更設定している請求項２に記載の熱供給設備。
【請求項４】
前記モード判別用設定温度は、装備される前記温水利用端末に要求される要求温度に応じて変更設定自在に構成されている請求項１に記載の熱供給設備。
【請求項５】
装備される前記温水利用端末に要求される要求温度についての温度情報を入力自在な人為操作式の入力部が備えられ、前記運転制御部は、前記入力部に入力された前記要求温度についての温度情報に応じて、前記モード判別用設定温度を変更設定している請求項４に記載の熱供給設備。
【請求項６】
前記モード判別用設定温度は、装備される前記温水利用端末に要求される要求温度及び装備される前記熱電併給装置の種類に応じて変更設定自在に構成されている請求項１に記載の熱供給設備。
【請求項７】
前記運転制御部は、前記温水供給運転を行うに当たり、常時、前記温度判別処理を行い、その温度判別処理の判別結果に基づいて前記加熱供給モード及び前記非加熱供給モードの何れかでの温水供給運転を行うように構成されている請求項１〜６の何れか１項に記載の熱供給設備。
【請求項８】
前記運転制御部に前記非加熱供給モードを指令する人為操作式のモード指令部が備えられ、前記運転制御部は、前記モード指令部からの指令を受けている場合には、前記温度判別処理を行い、その温度判別処理の判別結果に基づいて前記加熱供給モード及び前記非加熱供給モードの何れかでの温水供給運転を行い、前記モード指令部からの指令を受けていない場合には、前記加熱供給モードでの温水供給運転を行うように構成されている請求項１〜６の何れか１項に記載の熱供給設備。
【請求項９】
前記貯湯タンクの温水温度が前記モード判別用設定温度以上の場合には、前記非加熱供給モードでの温水供給運転を実行可能であることを表示するモード表示部を備えている請求項１〜８の何れか１項に記載の熱供給設備。
【発明の詳細な説明】
【技術分野】
【０００１】
本発明は、熱と電力を発生する熱電併給装置と、その熱電併給装置にて発生する熱を温水として貯湯する貯湯タンクと、その貯湯タンクに貯湯されている温水を熱源とする温水の供給を受けて運転を行う高温水利用端末とが備えられている熱供給設備に関する。
【背景技術】
【０００２】
上記のような熱供給設備では、熱電併給装置から発生する熱を貯湯タンクに温水として貯湯しておき、その貯湯されている温水を、温水利用端末を運転させるための熱源として利用している。温水利用端末としては、例えば、低温水（例えば、４０℃や６０℃）を熱源として運転される床暖房装置等の低温水利用端末と、この低温水利用端末よりも高温水（例えば、７５℃や８０℃）を熱源として運転される浴室乾燥装置等の高温水利用端末が用いられている（例えば、特許文献１参照。）。
【０００３】
温水利用端末の一例としての高温水利用端末は、例えば、浴室乾燥装置であれば、供給される温水を熱交換部に供給して、その熱交換部において温水にて浴室内から吸引した空気の一部を加熱し、その加熱された空気を浴室内に供給するとともに、浴室内から吸引した空気の一部を外部に排気することで、浴室乾燥運転を行うように構成されている。このような高温水利用端末では、その運転を行うために、熱源となる温水温度として高温（例えば、７５℃や８０℃）が要求されている。そこで、特許文献１に記載の設備では、この要求温度が貯湯タンクの温水温度よりも高温となっていても、その要求温度の温水を高温水利用端末に供給できるように、補助加熱部を備えている。温水供給部は、貯湯タンクから取り出した温水を補助加熱部にて加熱することで、その取り出し温水を要求温度以上としている。そして、温水供給部は、その要求温度以上の温水を熱源として要求温度の温水を生成し、その要求温度の温水を高温水利用端末に供給するようにしている。
【先行技術文献】
【特許文献】
【０００４】
【特許文献１】特開２０１１−４７５９１号公報
【発明の概要】
【発明が解決しようとする課題】
【０００５】
上記特許文献１に記載の設備では、高温水利用端末にて要求されている要求温度が貯湯タンクの温水温度よりも高温（貯湯タンクの温水温度が要求温度より低温）である場合には、高温水利用端末を運転させる際に、常に、補助加熱部による加熱を行うこととなり、それだけエネルギー消費量が増加するので、省エネルギー化を図るという観点から改良が求められている。
【０００６】
また、高温水利用端末を運転させる際に、常に、補助加熱部による加熱を行うのでは、高温水利用端末の運転を行うための熱源としては、補助加熱部の加熱により取得される熱が主体となってしまう。よって、高温水利用端末の運転を行うための熱源として、貯湯タンクに貯湯されている温水を有効に活用できていなかった。
【０００７】
本発明は、かかる点に着目してなされたものであり、その目的は、省エネルギー化を図りながら、温水利用端末の運転を行うための熱源として、貯湯タンクに貯湯されている温水を有効に活用することができる熱供給設備を提供する点にある。
【課題を解決するための手段】
【０００８】
この目的を達成するために、本発明に係る熱供給設備の特徴構成は、熱と電力を発生する熱電併給装置と、その熱電併給装置にて発生する熱を温水として貯湯する貯湯タンクと、その貯湯タンクに貯湯されている温水を熱源とする温水の供給を受けて運転を行う温水利用端末と、前記貯湯タンクに貯湯されている温水を熱源とする温水を前記温水利用端末に供給する温水供給部と、温水を加熱自在な補助加熱部と、前記温水供給部及び前記補助加熱部の作動を制御して前記温水利用端末に温水を供給する温水供給運転を行う運転制御部とが備えられ、
前記運転制御部は、前記貯湯タンクの温水温度がモード判別用設定温度以上か否かを判別する温度判別処理を行い、
前記貯湯タンクの温水温度が前記モード判別用設定温度未満の場合に、前記補助加熱部による加熱を行い、前記温水供給部によって、前記補助加熱部にて加熱された温水を熱源とする加熱温水を前記温水利用端末に供給する加熱供給モードでの温水供給運転を行い、
前記貯湯タンクの温水温度が前記モード判別用設定温度以上の場合に、前記補助加熱部による加熱を行わず、前記温水供給部によって、前記貯湯タンクの温水をそのまま熱源とする非加熱温水を前記温水利用端末に供給する非加熱供給モードでの温水供給運転を行うように構成され、
前記モード判別用設定温度については、前記温水利用端末に要求される要求温度よりも低温の温度範囲内で変更設定自在に構成されている点にある。
【０００９】
本特徴構成によれば、熱供給設備は、加熱供給モードと非加熱供給モードとの間で択一的に温水供給運転が行われる。ここで、加熱供給モードでは、貯湯タンクから得られる温水を補助加熱部で加熱して温水利用端末に供給し、非加熱供給モードでは、貯湯タンクから得られる温水をそのまま温水利用端末に供給して利用する。
本願独特のモード判別用設定温度は、熱供給設備において両モードを切り換える切換閾値温度となる。そして、このモード判別用設定温度は、温水利用端末に要求される要求温度よりも低温の温度範囲内であれば、使用者の都合等により変更設定できる。
【００１０】
例えば、温水利用端末が浴室乾燥装置のような高温水利用端末である場合、通常、高温水を利用することにより充分高温で迅速な熱利用が図れる要求温度が設定されている。つまり、高温水利用端末として浴室乾燥装置を例に採ると、乾燥をできるだけ短時間且つ充分に完了することを考慮して要求温度の設定がなされている。この設定に対して、使用者の都合等の要因により、従来、設定されている要求温度を必要とせず、要求温度より低い状態を許容できる場合もある。例えば、乾燥を夜間に比較的長時間で行いたい場合等である。そこで、後者の場合に対応するため、両モードの切換閾値温度を、熱供給設備の使用者が希望する温度状態に変更設定できるようにしている。そして、モード判別用設定温度を、温水利用端末の要求温度よりも低温の温度範囲内とすることで、貯湯タンクに貯湯されている温水温度が温水利用端末の要求温度よりも低温であっても、補助加熱部を働かせることなく、その貯湯タンクの温水をそのまま使用して温水利用端末の運転を行うことができる。したがって、使用者の都合等によりモード判別用設定温度を変更設定できながら、補助加熱部をできるだけ働かせることなく、貯湯タンクの温水をそのまま使用して温水利用端末の運転を行うことができるので、省エネルギー化を図りながら、温水利用端末の運転を行うための熱源として、貯湯タンクに貯湯されている温水を有効に活用することができる。
【００１１】
本発明に係る熱供給設備の更なる特徴構成は、前記モード判別用設定温度は、前記熱電併給装置の種類に応じて変更設定自在に構成されている点にある。
【００１２】
熱電併給装置は、その種類によって回収できる温水の温度が異なるので、モード判別用設定温度がその回収できる温水の温度よりも高温であると、非加熱供給モードが行われず、貯湯タンクの温水をそのまま利用することができなくなる。そこで、本特徴構成では、熱電併給装置の種類によって貯湯タンクに貯湯される温水温度が変更しても、その変更される温水温度に応じて、モード判別用設定温度を変更設定することで、回収される温水をできるだけそのまま使用するようにし、補助加熱部をできるだけ働かせない運転を実現している。
【００１３】
本発明に係る熱供給設備の更なる特徴構成は、装備される前記熱電併給装置の種類についての種類情報を入力自在な人為操作式の入力部が備えられ、前記運転制御部は、前記入力部に入力された熱電併給装置の種類情報に応じて、前記モード判別用設定温度を変更設定している点にある。
【００１４】
本特徴構成によれば、例えば、設備を新たに設置する場合や熱電併給装置を交換する場合に、作業者が入力部によって熱電併給装置の種類情報を入力するだけで、モード判別用設定温度を変更設定することができる。よって、モード判別用設定温度を変更設定するための構成の簡素化を図ることができる。
【００１５】
本発明に係る熱供給設備の更なる特徴構成は、前記モード判別用設定温度は、装備される前記温水利用端末に要求される要求温度に応じて変更設定自在に構成されている点にある。
【００１６】
本特徴構成によれば、例えば、温水利用端末の使用環境等によってその要求温度が変更されても、その変更後の要求温度に応じてモード判別用設定温度を変更設定することができ、温水利用端末の使用環境の変更にも柔軟に対応しながら、補助加熱部をできるだけ働かせることなく、貯湯タンクの温水をそのまま使用して温水利用端末の運転を行うことができる。
【００１７】
本発明に係る熱供給設備の更なる特徴構成は、装備される前記温水利用端末に要求される要求温度についての温度情報を入力自在な人為操作式の入力部が備えられ、前記運転制御部は、前記入力部に入力された前記要求温度についての温度情報に応じて、前記モード判別用設定温度を変更設定している点にある。
【００１８】
本特徴構成によれば、例えば、設備を新たに設置する場合や温水利用端末を交換する場合に、作業者が入力部によって温水利用端末の温度情報を入力するだけで、モード判別用設定温度を変更設定することができる。よって、モード判別用設定温度を変更設定するための構成の簡素化を図ることができる。
【００１９】
本発明に係る熱供給設備の更なる特徴構成は、前記モード判別用設定温度は、装備される前記温水利用端末に要求される要求温度及び装備される前記熱電併給装置の種類に応じて変更設定自在に構成されている点にある。
【００２０】
この特徴構成の場合は、熱供給設備に装備される温水利用端末と熱電併給装置との両方の特性を考慮して、加熱供給モードと非加熱供給モードとの間でモード切換閾値温度となるモード判別用設定温度を変更設定できる。
【００２１】
本発明に係る熱供給設備の更なる特徴構成は、前記運転制御部は、前記温水供給運転を行うに当たり、常時、前記温度判別処理を行い、その温度判別処理の判別結果に基づいて前記加熱供給モード及び前記非加熱供給モードの何れかでの温水供給運転を行うように構成されている点にある。
【００２２】
本特徴構成によれば、運転制御部は、温水供給運転を行う場合に、常時、温度判別処理を行うので、温水利用端末を運転させるのに貯湯タンクの温水をそのまま熱源として用いることができるか否かを常に判別しながら、加熱供給モード及び非加熱供給モードの何れかでの温水供給運転を行うことができる。よって、温水利用端末の運転を行うための熱源として、貯湯タンクに貯湯されている温水を最大限活用することができ、省エネルギー化を効果的に図ることができる。
【００２３】
本発明に係る熱供給設備の更なる特徴構成は、前記運転制御部に前記非加熱供給モードを指令する人為操作式のモード指令部が備えられ、前記運転制御部は、前記モード指令部からの指令を受けている場合には、前記温度判別処理を行い、その温度判別処理の判別結果に基づいて前記加熱供給モード及び前記非加熱供給モードの何れかでの温水供給運転を行い、前記モード指令部からの指令を受けていない場合には、前記加熱供給モードでの温水供給運転を行うように構成されている点にある。
【００２４】
本特徴構成によれば、モード指令部を備えているので、使用者が非加熱供給モードでの温水供給運転を行いたいときに、運転制御部は、非加熱供給モードでの温水供給運転を行うことができる。そして、運転制御部は、モード指令部からの指令を受けている場合のみ、温度判別処理を行うので、使用者が非加熱供給モードでの温水供給運転を行いたいときであっても、温水利用端末を運転させるのに貯湯タンクの温水をそのまま熱源として用いることができるか否かを確認しながら、非加熱供給モードでの温水供給運転を行うことができる。
【００２５】
本発明に係る熱供給設備の更なる特徴構成は、前記貯湯タンクの温水温度が前記モード判別用設定温度以上の場合には、前記非加熱供給モードでの温水供給運転を実行可能であることを表示するモード表示部を備えている点にある。
【００２６】
本特徴構成によれば、モード表示部の表示を視認するだけで、使用者が非加熱供給モードでの温水供給運転を実行可能であることを認識することができる。したがって、モード表示部での表示が行われている状況下では、貯湯タンクの温水を有効活用することで、省エネルギー化を図りながら温水供給運転を行うことができることを使用者が認識でき、使用者の利便性を図りながら、省エネルギー化を図ることができる。
【図面の簡単な説明】
【００２７】
【図１】熱供給設備の全体構成を示す概略図
【図２】浴室乾燥装置の概略構成図
【図３】加熱供給モード及び温度制限モードにおける熱供給設備の要部を示す模式図
【図４】非加熱供給モード及び温度非制限モードにおける熱供給設備の要部を示す模式図
【図５】ユニット側制御部におけるモード選択を示すフローチャート
【図６】端末側制御部におけるモード選択を示すフローチャート
【図７】熱電併給装置の種類とモード判別用設定温度との関係を示す表
【図８】デシカント装置の概略構成図
【図９】デシカント装置の概略構成図
【発明を実施するための形態】
【００２８】
本発明に係る熱供給設備の実施形態を図面に基づいて説明する。
〔第１実施形態〕
この熱供給設備１００は、図１に示すように、電力と熱を発生する熱電併給装置１と、貯湯タンク２と、熱電併給装置１にて発生する熱を回収して温水として貯湯タンク２に貯湯させる排熱回収部３と、貯湯タンク２に貯湯されている温水を熱源として生成される温水を低温水利用端末１４や高温水利用端末１５に供給する温水供給部４と、その温水供給部４にて供給される温水を用いて運転される低温水利用端末１４及び高温水利用端末１５とが備えられている。この熱供給設備１００は、熱電併給装置１を備えた第１ユニットＹ１と貯湯タンク２を備えた第２ユニットＹ２と浴槽１３と低温水利用端末１４と高温水利用端末１５とを流体を通流させる流路等により接続することで構成されている。
【００２９】
熱電併給装置１としては、例えば、発電機とその発電機を駆動するガスエンジンとを組み合わせたエンジン駆動式の発電装置、固体高分子型燃料電池を備えた発電装置、固体酸化物型燃料電池を備えた発電装置等、各種の熱電併給装置を適応することができる。そして、この熱供給設備１００は、熱電併給装置１にて発電された電力を商用電力系統８に系統連係するインバータ６を備えており、熱電併給装置１と商用電力系統８とが電力供給ライン７により電気的に接続されている。
【００３０】
排熱回収部３は、熱電併給装置１と排熱熱交換器９との間で排熱回収流体を循環させる第１循環路Ｊ１を備えている。第１循環路Ｊ１において排熱熱交換器９から熱電併給装置１への戻り側流路部位に第１循環ポンプＰ１が備えられている。排熱回収部３は、この第１循環ポンプＰ１を作動させて第１循環路Ｊ１を通して排熱回収流体を通流させることで、熱電併給装置１にて発生する熱を回収した排熱回収流体を、排熱熱交換器９に循環供給するように構成されている。これにより、排熱熱交換器９では、熱電併給装置１にて発生した熱を回収した排熱回収流体によって、第２循環路Ｊ２にて供給される湯水を加熱できるように構成されている。
【００３１】
排熱回収部３は、第１循環路Ｊ１に加えて、貯湯タンク２の下部から取り出した水を排熱熱交換器９に供給し、その排熱熱交換器９にて加熱された温水を貯湯タンク２の上部に戻す第２循環路Ｊ２を備えている。第２循環路Ｊ２は、貯湯タンク２の下部から水を取り出す第１流路部位Ｒ１と、排熱熱交換器９、補助加熱部１０の順に水（温水）を通流させる第２流路部位Ｒ２と、第２流路部位Ｒ２にて通流された水（温水）を貯湯タンク２の上部に戻す第３流路部位Ｒ３とを備えている。補助加熱部１０は、例えば、バーナ等の燃焼装置、及び、その燃焼装置にて得られた熱と供給される湯水を熱交換させる熱交換部を備えており、燃焼装置にて得られた熱により温水を加熱するように構成されている。
【００３２】
第１流路部位Ｒ１の途中部位には、貯湯タンク２に水を給水する第４流路部位Ｒ４が接続されており、第４流路部位Ｒ４の途中部位に第１逆止弁Ｇ１が備えられている。これにより、第４流路部位Ｒ４及び第１流路部位Ｒ１によって、貯湯タンク２への給水が行われる。第２流路部位Ｒ２には、水（温水）の通流方向の上流側から順に、第２循環ポンプＰ２、排熱熱交換器９、補助加熱部１０、第１開閉弁Ｋ１が備えられている。第３流路部位Ｒ３の途中部位には、第２開閉弁Ｋ２が備えられている。
【００３３】
この熱供給設備１００では、第２循環路Ｊ２と協働して、貯湯タンク２に貯湯されている温水を取り出して第１放熱部１１及び第２放熱部１２に循環供給する第３循環路Ｊ３を備えている。第３循環路Ｊ３は、第１放熱部１１を備えた第５流路部位Ｒ５と、第２放熱部１２を備えた第６流路部位Ｒ６とを備えている。第５流路部位Ｒ５は、第２流路部位Ｒ２と第３流路部位Ｒ３との接続箇所から分岐接続されて、第１流路部位Ｒ１と第２流路部位Ｒ２との接続箇所に合流接続されている。第５流路部位Ｒ５の途中部位には、温水の通流方向の上流側から順に、第１放熱部１１、第３開閉弁Ｋ３が備えられている。第６流路部位Ｒ６は、第５流路部位Ｒ５において第１放熱部１１よりも温水の通流方向の上流側部位から分岐接続されて、第５流路部位Ｒ５において第３開閉弁Ｋ３よりも温水の通流方向の下流側部位に合流接続されている。第６流路部位Ｒ６の途中部位には、温水の通流方向の上流側から順に、第２放熱部１２、第４開閉弁Ｋ４が備えられている。
【００３４】
この熱供給設備１００では、貯湯タンク２に貯湯されている温水を第１放熱部１１及び第２放熱部１２に供給するだけでなく、貯湯タンク２に貯湯されている温水を用いて給湯できるように構成されている。貯湯タンク２の上部に接続された第３流路部位Ｒ３において貯湯タンク２と第２開閉弁Ｋ２との間の部位に第７流路部位Ｒ７が分岐接続されており、その第７流路部位Ｒ７における温水の通流方向の下流側端部に給湯栓１６が備えられている。第７流路部位Ｒ７の途中部位には、第４流路部位Ｒ４において第１逆止弁Ｇ１よりも水の通流方向の上流側部位から分岐接続された第８流路部位Ｒ８が合流接続されており、その合流接続箇所には第１三方弁Ｓ１が備えられている。第８流路部位Ｒ８の途中部位には、第２逆止弁Ｇ２が備えられている。これにより、貯湯タンク２の上部から取り出された温水に、第４流路部位Ｒ４及び第８流路部位Ｒ８を通して給水される水を混合させて給湯要求温度とし、その給湯要求温度の温水を第７流路部位Ｒ７を通して給湯栓１６に給湯するようにしている。
【００３５】
この熱供給設備１００では、給湯栓１６に給湯するだけでなく、貯湯タンク２に貯湯されている温水を用いて浴槽１３の湯張りを行えるように構成されている。第７流路部位Ｒ７において第１三方弁Ｓ１と給湯栓１６との間の部位から第９流路部位Ｒ９が分岐接続されており、その第９流路部位Ｒ９が、浴槽１３と第１放熱部１１との間で浴槽１３の湯水を循環させる第４循環路Ｊ４に合流接続されている。第９流路部位Ｒ９の途中部位には第５開閉弁Ｋ５が備えられている。また、第４循環路Ｊ４において浴槽１３から第１放熱部１１に湯水を供給する側に第３循環ポンプＰ３が備えられている。これにより、給湯栓１６が接続された第７流路部位Ｒ７の途中部位から湯水を第９流路部位Ｒ９に供給し、その第９流路部位Ｒ９を通して第４循環路Ｊ４に供給して、浴槽１３の湯張りを行うようにしている。また、第３循環ポンプＰ３を作動させて第４循環路Ｊ４を通して浴槽１３内の湯水を循環させることで、第１放熱部１１において第５流路部位Ｒ５にて供給される温水にて第４循環路Ｊ４にて供給される浴槽１３内の湯水を加熱し、その加熱された湯水を浴槽１３に循環供給して浴槽１３内の湯水の追焚を行うようにしている。
【００３６】
この熱供給設備１００では、第２放熱部１２と低温水利用端末１４との間で温水を循環させる第５循環路Ｊ５、及び、第２放熱部１２と高温水利用端末１５との間で温水を循環させる第６循環路Ｊ６が備えられている。第５循環路Ｊ５と第６循環路Ｊ６は、共通の第２放熱部１２に対して温水を循環供給していることから、往き側共通流路部位１７と戻り側共通流路部位１８とを備えている。往き側共通流路部位１７からは、低温水利用端末１４に接続される低温側往き流路部位１９と高温水利用端末１５に接続される高温側往き流路部位２０とに分岐接続されている。戻り側共通流路部位１８に対しては、低温水利用端末１４に接続される低温側戻り流路部位２１と高温水利用端末１５に接続される高温側戻り流路部位２２とが合流接続されている。戻り側共通流路部位１８には、その温水の通流方向の上流側から順に、膨張タンク２３、第４循環ポンプＰ４が備えられている。また、低温側往き流路部位１９の途中部位には、第６開閉弁Ｋ６が備えられ、高温側往き流路部位２０の途中部位には、第７開閉弁Ｋ７が備えられている。図示は省略するが、往き側共通流路部位１７から低温側往き流路部位１９と高温側往き流路部位２０への分岐、第６開閉弁Ｋ６、及び、第７開閉弁Ｋ７については、温水の断続機能付きの温水ヘッダを備えることで、それらの構成を備えることができる。また、戻り側共通流路部位１８に対する低温側戻り流路部位２１と高温側戻り流路部位２２との合流についても、温水ヘッダを備えることで、それらの構成を備えることができる。
【００３７】
低温水利用端末１４は、低温水（例えば、４０℃や６０℃）の供給を受けてその低温水を用いて運転されるものであり、例えば、床暖房装置等が用いられている。また、高温水利用端末１５は、低温水利用端末１４よりも高温の高温水（例えば７５℃や８０℃）の供給を受けてその高温水を用いて運転されるものであり、例えば、浴室乾燥装置等が用いられている。
【００３８】
この実施形態では、高温水利用端末１５として浴室乾燥装置２００を用いているので、浴室乾燥装置２００について、図２に基づいて説明する。この浴室乾燥装置２００は、浴室２０２の天井２０３に端末本体２０１が備えられている。端末本体２０１には、外部から供給される温水を受け入れて熱交換部２０４に供給する温水受入部２０５と、浴室２０２から吸引した空気を熱交換部２０４に供給して浴室２０２内に戻す循環路２０６と、その循環路２０６にて浴室２０２内の空気を循環させる吸引ファン２０７と、浴室２０２から吸引した空気を外部に排気する排気路２０８と、その排気路２０８にて浴室２０２から吸引した空気を排気させる排気ファン２０９とが備えられている。
【００３９】
温水受入部２０５は、熱交換部２０４の入口側に接続された単一の温水供給管２１０を備えており、この温水供給管２１０が、図１における高温側往き流路部位２０となっている。温水受入部２０５は、温水供給管２１０にて供給される温水をその温水温度にかかわらず受け入れて熱交換部２０４に供給するように構成されている。温水供給管２１０の途中部位には、熱動弁２１１が備えられている。熱交換部２０４に供給された温水を外部に排出するために、熱交換部２０４の出口側には単一の温水排出管２１２が接続されており、この温水排出管２１２が、図１における高温側戻り流路部位２２となっている。このようにして、浴室乾燥装置２００は、温水供給管２１０によって第２放熱部１２からの温水を受け入れ、温水排出管２１２によって第２放熱部１２に温水を戻すようにしている。
【００４０】
この熱供給設備１００には、図１に示すように、第１ユニットＹ１及び第２ユニットＹ２の運転を制御するユニット側制御部５（運転制御部に相当する）と、第１ユニットＹ１及び第２ユニットＹ２の運転指令を行う運転指令部等を備えたユニット側リモコン（図示省略）とが通信自在に備えられており、ユニット側制御部５は、ユニット側リモコンからの各種の情報に基づいて、第１ユニットＹ１及び第２ユニットＹ２の運転を制御するようにしている。この熱供給設備１００では、高温水利用端末１５や低温水利用端末１４が接続されていることから、ユニット側制御部５は、これらの温水利用端末からの運転要求やその運転における要求温度等の情報に基づいて、第１ユニットＹ１及び第２ユニットＹ２の運転を制御するようにしている。そこで、ユニット側制御部５は、運転要求や要求温度等の情報を取得するために、それらの温水利用端末に備えられる端末側制御部２１３及び端末側リモコン２１４と通信自在に構成されている。図１では、高温水利用端末１５に備えられる端末側制御部２１３及び端末側リモコン２１４のみを図示しており、低温水利用端末１４に備えられる端末側制御部及び端末側リモコンは図示を省略している。また、図示は省略するが、ユニット側制御部５は、浴槽１３への湯張りや浴槽１３内の湯水の追焚等の運転要求やその運転における要求温度等の情報を取得するために、風呂リモコンとも通信自在に構成されている。
【００４１】
以下、熱供給設備１００の運転について説明する。
ユニット側制御部５は、貯湯タンク２への貯湯を行う貯湯運転、給湯栓１６に湯水を供給する給湯運転、浴槽１３の湯張りを行う湯張り運転、低温水利用端末１４及び高温水利用端末１５に温水を供給する温水供給運転等の各種の運転を行うように構成されている。
【００４２】
（貯湯運転）
貯湯運転は、熱電併給装置１の運転中に行われるものであり、熱電併給装置１にて発生する熱を温水として貯湯タンク２に貯湯する運転である。ちなみに、貯湯運転をどのようなタイミングで運転開始するかについては適宜変更が可能であり、例えば、熱電併給装置１を運転開始させるに当たり、貯湯運転も運転開始させることができる。また、貯湯運転をどのようなタイミングで運転終了するかについても適宜変更が可能であり、例えば、ユニット側制御部５は、貯湯タンク２に備えられた温度センサ（図示省略）の検出情報に基づいて、貯湯タンク２の貯湯量が満杯であると判別すると、貯湯運転を終了することができる。
【００４３】
ユニット側制御部５は、図１に示すように、第１循環ポンプＰ１を作動させて、第１循環路Ｊ１によって熱電併給装置１にて発生する熱を回収した排熱回収流体を排熱熱交換器９に循環供給している。そして、ユニット側制御部５は、第１開閉弁Ｋ１及び第２開閉弁Ｋ２を開弁させて第２循環ポンプＰ２を作動させ、第２循環路Ｊ２によって貯湯タンク２の下部から取り出した湯水を排熱熱交換器９に供給し、排熱熱交換器９を通過した温水を貯湯タンク２の上部に戻すようにしている。これにより、排熱熱交換器９において、排熱回収流体にて貯湯タンク２から取り出した湯水を加熱して温水を生成し、その温水を貯湯タンク２の上部に戻すようにして、貯湯タンク２に温水を貯湯するようにしている。
【００４４】
貯湯タンク２は、上部に高温の湯水を位置させ且つ下部に低温の湯水を位置させるようにして温度成層を形成する状態で湯水を貯湯する密閉型のタンクにて構成されている。そして、ユニット側制御部５は、貯湯タンク２に貯湯する温水温度が貯湯設定温度で一定となるように、第２循環ポンプＰ２の回転速度等を制御して第２循環路Ｊ２における湯水の通流量を調整している。貯湯設定温度については、装備する熱電併給装置１の種類に応じて変更設定可能であり、例えば、熱電併給装置１としてエンジン駆動式の発電装置を装備した場合に貯湯設定温度を７５℃に設定し、固体高分子型燃料電池を備えた発電装置を装備した場合に貯湯設定温度を５５℃に設定し、固体酸化物型燃料電池を備えた発電装置を装備した場合に貯湯設定温度を６５℃に設定している。
【００４５】
（給湯運転）
給湯運転は、給湯栓１６の開操作に伴って運転開始され、給湯栓１６の閉操作に伴って運転停止され、給湯栓１６に給湯設定温度の湯水を給湯する運転である。ユニット側制御部５は、第１三方弁Ｓ１を開弁させて、貯湯タンク２の上部から温水を第３流路部位Ｒ３に取り出し、その温水を第３流路部位Ｒ３及び第７流路部位Ｒ７によって給湯栓１６に供給している。そして、ユニット側制御部５は、給湯栓１６に供給する温水温度が給湯設定温度となるように、第１三方弁Ｓ１の開度を制御して第８流路部位Ｒ８から混合させる水量を調整している。
【００４６】
（湯張り運転）
湯張り運転は、浴槽１３の湯張りを行う運転であり、基本的には、給湯運転と同様の動作であり、ユニット側制御部５は、給湯運転の動作に加えて、第５開閉弁Ｋ５を開弁させて、第７流路部位Ｒ７の温水を第９流路部位Ｒ９によって第４循環路Ｊ４に供給しており、第４循環路Ｊ４を通して温水を浴槽１３に供給するようにしている。この場合には、ユニット側制御部５が、浴槽１３に供給する温水温度が湯張り設定温度となるように、第１三方弁Ｓ１の開度を制御して第８流路部位Ｒ８から混合させる水量を調整している。
【００４７】
（追焚用の温水供給運転）
この追焚用の温水供給運転は、浴室リモコンからの追焚要求によって運転開始され、浴槽１３内の湯水の追焚を終了することで運転停止される。ユニット側制御部５は、第１開閉弁Ｋ１、第２開閉弁Ｋ２及び第３開閉弁Ｋ３を開弁させて第２循環ポンプＰ２を作動させ、貯湯タンク２の上部から取り出した温水を第３循環路Ｊ３によって第１放熱部１１に供給し、その第１放熱部１１を通過した温水の一部を貯湯タンク２の下部に戻し、残りの一部の温水を第２循環路Ｊ２によって循環させている。そして、ユニット側制御部５は、第３循環ポンプＰ３を作動させて、第４循環路Ｊ４によって浴槽１３と第１放熱部１１との間で浴槽１３内の湯水を循環させている。これにより、第１放熱部１１において貯湯タンク２の上部から取り出した温水にて浴槽１３内の湯水を加熱し、その加熱された湯水を浴槽１３内に戻すことで、浴槽１３内の湯水の追焚を行っている。第１放熱部１１に供給する温水温度については、例えば、浴槽１３内の湯水を所望温度に加熱できるような温度が設定されている。そして、ユニット側制御部５は、貯湯タンク２に貯湯されている温水温度がその設定温度未満である場合には、補助加熱部１０による加熱を行い、その補助加熱部１０にて加熱された温水と貯湯タンク２から取り出した温水とを混合させることで、設定温度以上の温水を第１放熱部１１に供給するようにしている。
【００４８】
（温水利用端末用の温水供給運転）
温水利用端末用の温水供給運転としては、貯湯タンク２に貯湯されている温水を第１放熱部１１に供給するのではなく、貯湯タンク２に貯湯されている温水を第２放熱部１２に供給するようにしている。この場合には、低温水利用端末１４及び高温水利用端末１５からの運転要求によって運転開始され、低温水利用端末１４及び高温水利用端末１５からの運転終了指令によって運転停止される。このように、ユニット側制御部５は、低温水利用端末１４及び高温水利用端末１５の温水利用端末を運転させる際に、温水供給運転を行うようにしている。
【００４９】
（低温水利用端末に対する温水供給運転）
まず、低温水利用端末１４を運転させる場合について説明する。ユニット側制御部５は、第１開閉弁Ｋ１、第２開閉弁Ｋ２及び第４開閉弁Ｋ４を開弁させて第２循環ポンプＰ２を作動させ、貯湯タンク２の上部から取り出した温水を第３循環路Ｊ３によって第２放熱部１２に供給し、その第２放熱部１２を通過した温水の一部を貯湯タンク２の下部に戻し、残りの一部の温水を第２循環路Ｊ２によって循環させている。ユニット側制御部５は、第６開閉弁Ｋ６を開弁させて第４循環ポンプＰ４を作動させ、第５循環路Ｊ５によって低温水利用端末１４と第２放熱部１２との間で湯水を循環させている。これにより、第２放熱部１２において貯湯タンク２の上部から取り出した温水にて湯水を加熱し、その加熱された湯水を温水として低温水利用端末１４に供給している。
【００５０】
低温水利用端末１４では、第２放熱部１２にて加熱された温水の供給を受けるので、その温水を用いて運転が行われる。例えば、低温水利用端末１４が床暖房装置であれば、その床暖房装置は、温水の供給を受けると、その温水を床暖房パネルに供給する床暖房運転を行うようにしている。
【００５１】
第２放熱部１２に供給する温水温度については、低温水利用端末１４が低温水（例えば、４０℃や６０℃）の供給を受けてその低温水を用いて運転するので、その運転を行うための要求温度に応じて、第２放熱部１２に供給する温水温度が低温水用設定温度（例えば、４０℃や６０℃）に設定されている。この低温水用設定温度の設定については、ユニット側制御部５が、低温水利用端末の端末側リモコン（図示省略）からの通信により低温水利用端末１４の要求温度の情報を取得しているので、その要求温度に応じて低温水用設定温度を設定している。ユニット側制御部５は、貯湯タンク２に貯湯されている温水温度が低温水用設定温度以上である場合には、補助加熱部１０による加熱を行わず、貯湯タンク２の温水をそのまま第２放熱部１２に供給している。ユニット側制御部５は、貯湯タンク２に貯湯されている温水温度が低温水用設定温度未満である場合には、補助加熱部１０による加熱を行い、その補助加熱部１０にて加熱された温水と貯湯タンク２から取り出した温水とを混合させることで、その混合温水を低温水用設定温度以上とし、その低温水用設定温度以上の混合温水を第２放熱部１２に供給している。
【００５２】
（高温水利用端末に対する温水供給運転）
次に、高温水利用端末１５を運転させる場合について説明する。ユニット側制御部５は、第１開閉弁Ｋ１、第２開閉弁Ｋ２及び第４開閉弁Ｋ４を開弁させて第２循環ポンプＰ２を作動させ、貯湯タンク２の上部から取り出した温水を第３循環路Ｊ３によって第２放熱部１２に供給し、その第２放熱部１２を通過した温水の一部を貯湯タンク２の下部に戻し、残りの一部の温水を第２循環路Ｊ２によって循環させている。ユニット側制御部５は、第７開閉弁Ｋ７を開弁させて第４循環ポンプＰ４を作動させ、第６循環路Ｊ６によって高温水利用端末１５と第２放熱部１２との間で湯水を循環させている。これにより、第２放熱部１２において貯湯タンク２の上部から取り出した温水にて湯水を加熱し、その加熱された湯水を温水として高温水利用端末１５に供給している。
【００５３】
高温水利用端末１５は、通常、高温水（例えば７５℃や８０℃：この温度が先に説明した「要求温度」である）の供給を受けることで、その高温水を用いた運転を行うように構成されているので、高温水利用端末１５を運転するためには、第２ユニットＹ２から高温水利用端末１５に供給する温水温度として、高温水（例えば７５℃や８０℃）が要求されることになる。よって、第２放熱部１２に供給する温水温度は、その高温水（例えば７５℃や８０℃）が高温水用設定温度となり、貯湯タンク２に貯湯されている温水温度が高温水用設定温度よりも低温である場合には、補助加熱部１０による加熱を行うことが必要となる。しかしながら、常時、補助加熱部１０による加熱を行っていると、貯湯タンク２に貯湯されている温水を有効に活用できないばかりか、それだけエネルギー消費量が増加することになる。
【００５４】
そこで、この実施形態では、貯湯タンク２に貯湯されている温水を有効に活用しながら、高温水利用端末１５を運転させるために、ユニット側制御部５が、温水供給運転において高温水利用端末１５に温水を供給する供給モードとして、補助加熱部１０による加熱を行う加熱供給モードと補助加熱部１０による加熱を行わない非加熱供給モードとを実行可能に構成されている。
【００５５】
（加熱供給モード）
図１及び図３に基づいて加熱供給モードについて説明する。図３は、図１における要部を模式的に図示したものであり、流体を通流する部位、及び、作動させる機器を太線にて示している。ユニット側制御部５は、補助加熱部１０による加熱を行い、その補助加熱部１０にて加熱された温水と貯湯タンク２から取り出した温水とを混合させて、その混合温水を高温水用設定温度以上としており、その高温水用設定温度以上の温水を第２放熱部１２に供給している。これにより、第２放熱部１２では、その高温水にて湯水が加熱されて高温水（例えば７５℃や８０℃）を生成することができ、その高温水を第６循環路Ｊ６によって高温水利用端末１５に供給している。このようにして、加熱供給モードでの温水供給運転では、補助加熱部１０による加熱を行うことで、第２放熱部１２に供給する温水温度を高温水用設定温度（例えば７５℃や８０℃）以上として、補助加熱部１０にて加熱された温水を熱源として加熱温水（例えば７５℃や８０℃）を生成し、その加熱温水を高温水利用端末１５に供給している。そして、温水供給部４は、第２循環路Ｊ２、第３循環路Ｊ３、第６循環路Ｊ６等から構成されており、ユニット側制御部５は、高温水利用端末１５に接続された単一の温水供給管２１０（高温側往き流路部位２０）にて加熱温水を供給する第１供給状態に温水供給部４を切り換えている。
【００５６】
（非加熱供給モード）
図１及び図４に基づいて非加熱供給モードについて説明する。図４は、図１における要部を模式的に図示したものであり、流体を通流する部位、及び、作動させる機器を太線にて示している。ユニット側制御部５は、補助加熱部１０による加熱を行わず、貯湯タンク２から取り出した温水をそのまま第２放熱部１２に供給している。これにより、第２放熱部１２では、貯湯タンク２の温水にて湯水が加熱されて温水を生成することができ、その温水を第６循環路Ｊ６によって高温水利用端末１５に供給している。このように、非加熱供給モードでの温水供給運転では、補助加熱部１０による加熱を行わないことで、第２放熱部１２において貯湯タンク２の温水を熱源とする非加熱温水を生成し、その非加熱温水を高温水利用端末１５に供給している。ユニット側制御部５は、高温水利用端末１５に接続された単一の温水供給管２１０（高温側往き流路部位２０）にて非加熱温水を供給する第２供給状態に温水供給部４を切り換えている。
【００５７】
（高温水利用端末の運転）
上述の如く、高温水利用端末１５に温水を供給するに当たり、第２ユニットＹ２側は、ユニット側制御部５によって、加熱供給モードでの温水供給運転と非加熱供給モードでの温水供給運転とを実行可能に構成されている。そこで、加熱供給モードでの温水供給運転でも非加熱供給モードでの温水供給運転でも高温水利用端末１５を運転させるために、端末側制御部２１３は、高温水利用端末１５の運転を行うに当たり、温水受入部２０５にて受け入れる温水温度が要求温度以上である場合に運転動作部を作動させて運転し、受け入れる温水温度が要求温度未満である場合に運転動作部を停止させる温度制限モードと、温水受入部２０５にて受け入れる温水温度にかかわらず運転動作部を作動させて運転する温度非制限モードとを実行可能に構成されている。以下、高温水利用端末１５を浴室乾燥装置２００として説明する。
【００５８】
（温度制限モード）
まず、図２及び図３に基づいて温度制限モードについて説明する。端末側制御部２１３は、温水供給管２１０にて受け入れる温水温度が要求温度（例えば７５℃や８０℃）以上の高温水であるとして、熱動弁２１１を開弁させてその高温水を熱交換部２０４に供給し、熱交換部２０４を通過した高温水を温水排出管２１２により排出するようにしている。これにより、熱交換部２０４では、供給される高温水（例えば７５℃や８０℃）にて循環路２０６を通流する空気を加熱可能となっている。端末側制御部２１３は、吸引ファン２０７を作動させて、循環路２０６によって、浴室２０２から吸引した空気の一部を熱交換部２０４にて加熱してその加熱された空気を浴室２０２に戻すようにしている。端末側制御部２１３は、吸引ファン２０７を作動させるだけでなく、排気ファン２０９も作動させることで、排気路２０８によって浴室２０２から吸引した空気の一部を外部に排気している。このようにして、端末側制御部２１３は、温水供給管２１０にて受け入れる温水温度が要求温度（例えば７５℃や８０℃）以上の高温水である場合に、熱動弁２１１、吸引ファン２０７、及び、排気ファン２０９等の運転動作部を作動させて、浴室２０２から吸引した空気の一部を熱交換部２０４にて加熱して浴室２０２に戻しながら、残りの一部の空気を外部に排気する乾燥運転を行うようにしている。
【００５９】
この温度制限モードでは、熱交換部２０４に供給される温水が高温水（例えば７５℃や８０℃）であることから、端末側制御部２１３は、その高温水によって浴室２０２に戻す空気の温度を温度制限用設定温度に加熱するように、吸引ファン２０７及び排気ファン２０９の回転速度等を制御するようにしている。温度制限用設定温度は、端末側リモコンにて設定される運転用設定温度に応じて設定する、或いは、実験等により予め一定温度を設定することができる。また、この温度制限モードでは、温水供給管２１０にて受け入れる温水温度が要求温度（例えば７５℃や８０℃）以上の高温水であるとしているので、端末側制御部２１３は、温水供給管２１０にて供給される温水温度が要求温度未満であると、運転動作部を停止させて、ユニット側制御部５に対して、要求温度の高温水を供給するための高温水要求指令を行うようにしている。また、例えば、端末側制御部２１３は、温水供給管２１０にて供給される温水温度が要求温度未満であると、或いは、高温水要求指令を行っても温水供給管２１０にて供給される温水温度が要求温度未満である状態が継続していると、熱動弁２１１を閉弁させて高温水利用端末１５の運転を停止させることもできる。このようにして、端末側制御部２１３は、温水供給管２１０にて受け入れる温水温度が要求温度（例えば７５℃や８０℃）以上の高温水である場合に、熱動弁２１１、吸引ファン２０７、及び、排気ファン２０９等の運転動作部を作動させて、熱交換部２０４への温水供給を行う第１供給状態に切り換えている。また、端末側制御部２１３は、温水供給管２１０にて受け入れる温水温度が要求温度（例えば７５℃や８０℃）未満である場合に、運転動作部を停止させるという運転動作部の作動に制限を加えている。
【００６０】
ちなみに、ユニット側制御部５は、高温水要求指令を受けると、補助加熱部１０による加熱が行われていなければ補助加熱部１０による加熱を開始し、補助加熱部１０による加熱が行われている最中であるとその加熱量を増加させるように補助加熱部１０を制御する等により、高温水利用端末１５に要求温度の高温水（例えば７５℃や８０℃）を供給するようにしている。
【００６１】
（温度非制限モード）
次に、図２及び図４に基づいて温度非制限モードについて説明する。端末側制御部２１３は、温水供給管２１０にて受け入れる温水温度にかかわらず、熱動弁２１１を開弁させてその温水を熱交換部２０４に供給し、熱交換部２０４を通過した温水を温水排出管２１２により排出するようにしている。これにより、熱交換部２０４では、供給される温水にて循環路２０６を通流する空気を加熱可能となっている。端末側制御部２１３は、吸引ファン２０７を作動させて、循環路２０６によって、浴室２０２から吸引した空気の一部を熱交換部２０４にて加熱してその加熱された空気を浴室２０２に戻すようにしている。端末側制御部２１３は、吸引ファン２０７を作動させるだけでなく、排気ファン２０９も作動させることで、排気路２０８によって浴室２０２から吸引した空気の一部を外部に排気している。このようにして、端末側制御部２１３は、熱動弁２１１、吸引ファン２０７、及び、排気ファン２０９等の運転動作部を作動させることで、浴室２０２から吸引した空気の一部を熱交換部２０４にて加熱して浴室２０２に戻しながら、残りの一部の空気を外部に排気する乾燥運転を行うようにしている。
【００６２】
この温度非制限モードでは、熱交換部２０４に供給される温水温度にかかわらず運転することから、温度制限モードのように、熱交換部２０４にて加熱する空気を温度制限用設定温度まで加熱できないことがある。そこで、端末側制御部２１３は、例えば、熱交換部２０４にて浴室２０２に戻す空気の温度を温度非制限用設定温度（温度制限用設定温度よりも低温）に加熱するように、吸引ファン２０７及び排気ファン２０９の回転速度等を制御することができる。温度非制限用設定温度は、温度制限用設定温度を基準としてそれよりも一定の低温となるように設定する、或いは、温度制限用設定温度とは無関係に温度制限用設定温度よりも低温となるように設定することができる。また、端末側制御部２１３は、このような制御に代えて、吸引ファン２０７及び排気ファン２０９の回転速度を温度非制限用回転速度の一定回転速度となるように制御することもできる。そして、この温度非制限モードでは、熱交換部２０４に供給される温水温度が低下しても、端末側制御部２１３は、ユニット側制御部５に対する高温水要求指令は行わず、熱動弁２１１を開弁状態に維持している。このようにして、端末側制御部２１３は、熱動弁２１１、吸引ファン２０７、及び、排気ファン２０９等の運転動作部を作動させて、温水供給管２１０を通流させる温水温度にかかわらず熱交換部２０４への温水供給を行う第２供給状態に切り換えている。
【００６３】
浴室乾燥装置２００は、その運転の１つとして、浴室乾燥運転を行うようにしているが、端末側制御部２１３は、例えば、熱動弁２１１を開弁させて熱交換部２０４への温水の供給を行った上で、排気ファン２０９を作動させずに吸引ファン２０７のみを作動させて、浴室２０２から吸引した空気の全量を熱交換部２０４にて加熱して浴室２０２に戻す浴室暖房運転も行うようにしている。この浴室暖房運転も、温水の供給を受ける行う運転であることから、端末側制御部２１３は、浴室暖房運転を行うに当たり、温度制限モードと温度非制限モードとを実行可能に構成されている。また、端末側制御部２１３は、浴室乾燥運転及び浴室暖房運転の他にも、熱交換部２０４への温水供給を行わずに、排気ファン２０９のみを作動させて、浴室２０２から吸引した空気の一部を外部に排気する換気運転等も行えるようにしている。
【００６４】
（モード選択）
上述の如く、ユニット側制御部５は、高温水利用端末１５に温水を供給する温水供給運転として、加熱供給モードと非加熱供給モードとを実行可能であり、端末側制御部２１３は、高温水利用端末１５の運転として、温度制限モードと温度非制限モードとを実行可能である。そこで、ユニット側制御部５は、高温水利用端末１５に温水を供給する温水供給運転を行うに当たり、加熱供給モードを実行するか、又は、非加熱供給モードを実行するかを選択している。また、端末側制御部２１３も、高温水利用端末１５を運転させるに当たり、温度制限モードを実行するか、又は、温度非制限モードを実行するかを選択している。以下、このモード選択について説明する。
【００６５】
図１及び図２に示すように、端末側リモコン２１４には、各種の運転開始や運転停止を指令する運転指令部２１５と、設定温度や運転状態等を表示する表示部２１６と、非加熱供給モード及び温度非制限モードを指令するモード指令部２１７とが備えられている。これにより、ユニット側制御部５及び端末側制御部２１３は、端末側リモコン２１４との通信により、モード指令部２１７にて非加熱供給モード及び温度非制限モードが指令されていることを認識することができる。そこで、ユニット側制御部５が非加熱供給モードを実行する条件として、モード指令部２１７にて非加熱供給モードが指令されていることとし、端末側制御部２１３が温度非制限モードを実行する条件として、モード指令部２１７にて温度非制限モードが指令されていることとしている。
【００６６】
また、貯湯タンク２に貯湯されている温水温度が高温水利用端末１５を運転させるための要求温度（例えば７５℃や８０℃）よりも過剰に低い温度であると、その温水を熱源として生成した温水を高温水利用端末１５に供給すると、要求温度よりも過剰に低い温度の温水が高温水利用端末１５に供給されることになる。そこで、ユニット側制御部５が非加熱供給モードを実行する条件として、モード指令部２１７にて非加熱供給モードが指令されていることに加えて、貯湯タンク２に貯湯されている温水温度がモード判別用設定温度以上であることとしている。端末側制御部２１３が温度非制限モードを実行する条件として、モード指令部２１７にて温度非制限モードが指令されていることに加えて、温水受入部２０５にて受け入れる温水温度がモード判別用設定温度以上であることとしている。モード判別用設定温度については、高温水利用端末１５を運転させるための要求温度（例えば７５℃や８０℃）よりも低温の温度が設定されており、例えば、装備する熱電併給装置１の種類に応じてモード判別用設定温度を変更設定可能としている。例えば、熱電併給装置１としてエンジン駆動式の発電装置を装備した場合にモード判別用設定温度を６０℃に設定し、固体高分子型燃料電池を備えた発電装置を装備した場合にモード判別用設定温度を５０℃に設定し、固体酸化物型燃料電池を備えた発電装置を装備した場合にモード判別用設定温度を４０℃に設定している。
【００６７】
以下、図５のフローチャートに基づいて、ユニット側制御部５によるモード選択について説明する。
まず、ユニット側制御部５は、端末側リモコン２１４との通信により、モード指令部２１７にて非加熱供給モードが指令されているか否かを判別する（ステップ＃１）。非加熱供給モードが指令されている場合には、ユニット側制御部５が、貯湯タンク２に貯湯されている温水温度がモード判別用設定温度以上であるか否かを判別する温度判別処理を行う（ステップ＃２）。ここで、貯湯タンク２に貯湯されている温水温度は、貯湯タンク２から取り出される温水温度であり、例えば、貯湯タンク２の最上部に配置される温度センサ等によりその温水温度を取得することができる。ユニット側制御部５は、貯湯タンク２に貯湯されている温水温度がモード判別用設定温度以上であれば（ステップ＃３のＹｅｓの場合）、非加熱供給モードを実行する（ステップ＃４）。ユニット側制御部５は、モード指令部２１７にて非加熱供給モードが指令されていない場合（ステップ＃１にてＮｏの場合）、及び、貯湯タンク２に貯湯されている温水温度がモード判別用設定温度未満の場合（ステップ＃３のＮｏの場合）には、加熱供給モードを実行する（ステップ＃５）。
【００６８】
以下、図６のフローチャートに基づいて、端末側制御部２１３によるモード選択について説明する。
まず、端末側制御部２１３は、端末側リモコン２１４との通信により、モード指令部２１７にて温度非制限モードが指令されているか否かを判別する（ステップ＃１１）。温度非制限モードが指令されている場合には、端末側制御部２１３が、温水受入部２０５にて受け入れる温水温度がモード判別用設定温度以上であるか否かを判別する（ステップ＃１２）。ここで、温水受入部２０５にて受け入れる温水温度については、図示は省略するが、温水供給管２１０の途中部位に配置された温度センサ等によりその温水温度を取得することができる。端末側制御部２１３は、温水受入部２０５にて受け入れる温水温度がモード判別用設定温度以上であれば、温度非制限モードを実行する（ステップ＃１３）。端末側制御部２１３は、モード指令部２１７にて温度非制限モードが指令されていない場合（ステップ＃１１にてＮｏの場合）、及び、温水受入部２０５にて受け入れる温水温度がモード判別用設定温度未満の場合（ステップ＃１２のＮｏの場合）には、温度制限モードを実行する（ステップ＃１４）。
【００６９】
上述の如く、ユニット側制御部５は、モード指令部２１７による指令を受けている場合には、温度判別処理を行った上で、非加熱供給モードでの温水供給運転を実行可能としており、モード指令部２１７による指令を受けていない場合には、加熱供給モードでの温水供給運転を行うようにしている。貯湯タンク２に貯湯されている温水温度がモード判別用設定温度以上であれば、通常、温水受入部２０５にて受け入れる温水温度もモード判別用設定温度以上となることから、モード指令部２１７による指令がされており、温度判別処理を行った結果、貯湯タンク２に貯湯されている温水温度がモード判別用設定温度以上であれば、ユニット側制御部５が非加熱供給モードを行うとともに、端末側制御部２１３が温度非制限モードを行うことになる。
【００７０】
このように、温度判別処理を行った結果の温度条件が満たされていなければ、ユニット側制御部５による非加熱供給モードの実行、及び、端末側制御部２１３による温度非制限モードの実行が行われない。そこで、現在、ユニット側制御部５による非加熱供給モードの実行、及び、端末側制御部２１３による温度非制限モードの実行が行うことができる状況下であるのか否かを、使用者が容易に認識できるように、端末側リモコン２１４にモード表示部２１８が備えられている。このモード表示部２１８は、貯湯タンク２に貯湯されている温水温度がモード判別用設定温度以上である場合に点灯することで、ユニット側制御部５による非加熱供給モードの実行、及び、端末側制御部２１３による温度非制限モードの実行が可能な状況下であることを表示している。
【００７１】
温度判別処理におけるモード判別用設定温度については、高温水利用端末１５に要求される要求温度（例えば７５℃や８０℃）よりも低温の温度範囲内で変更設定自在であり、装備される熱電併給装置１の種類に応じて変更設定自在となっている。このモード判別用設定温度を変更設定するために、図１に示すように、端末側リモコン２１４には、装備される熱電併給装置１の種類についての種類情報を入力自在な人為操作式の入力部２１９が備えられている。この入力部２１９は、ディップスイッチを備えており、そのディップスイッチを操作することで、熱電併給装置１の種類についての種類情報を入力自在となっている。この実施形態では、例えば、熱電併給装置として、エンジン駆動式の発電装置と、固体高分子型燃料電池を備えた発電装置と、固体酸化物型燃料電池を備えた発電装置との３種類の発電装置を装備できることから、ディップスイッチにてどの発電装置を装備しているかを選択できるようになっている。例えば、図７の表に示すように、エンジン駆動式の発電装置Ｃ１を装備する場合には、ディップスイッチにてＸ１をＯＮ操作し、固体酸化物型燃料電池を備えた発電装置Ｃ２を装備する場合には、ディップスイッチにてＸ２をＯＮ操作し、固体酸化物型燃料電池を備えた発電装置Ｃ３を装備する場合には、ディップスイッチにてＸ３をＯＮ操作している。
【００７２】
このように、入力部２１９にて熱電併給装置１の種類についての種類情報が入力されると、ユニット側制御部５及び端末側制御部２１３は、端末側リモコン２１４との通信により、その入力情報を取得して、どの種類の熱電併給装置１が装備されているかを認識することができる。そして、例えば、図７の表に示すように、ユニット側制御部５及び端末側制御部２１３は、入力部２１９のディップスイッチにてＸ１がＯＮ操作されていると、エンジン駆動式の発電装置Ｃ１が装備されているとして、モード判別用設定温度を６０℃に設定している。また、ユニット側制御部５及び端末側制御部２１３は、入力部２１９のディップスイッチにてＸ２がＯＮ操作されていると、固体酸化物型燃料電池を備えた発電装置Ｃ２が装備されているとし、モード判別用設定温度を５０℃に設定している。さらに、ユニット側制御部５及び端末側制御部２１３は、入力部２１９のディップスイッチにてＸ３がＯＮ操作されていると、固体酸化物型燃料電池を備えた発電装置Ｃ３が装備されているとして、モード判別用設定温度を４０℃に設定している。
また、ユニット側制御部５は、端末側リモコン２１４との通信により、入力部２１９による入力情報を取得して、どの種類の熱電併給装置１が装備されているかを認識することができることから、この入力情報に基づいて、貯湯設定温度についても変更設定するようにしている。
【００７３】
熱電併給装置１については、図１に示すように、第２ユニットＹ２と分離自在な第１ユニットＹとして備えられているので、複数の種類のうちの、どの熱電併給装置１を装備するかを選択すると、その選択した熱電併給装置１を備えた第１ユニットＹ１を第２ユニットＹ２に接続することで、熱供給設備１００を構成することができる。このように、熱電併給装置１を備えた第１ユニットＹ１と貯湯タンク２を備えた第２ユニットＹ２とに分離可能としておくことで、複数の種類の熱電併給装置１の何れかを装備する場合でも、その設置作業等の簡素化を図ることができる。
【００７４】
〔第２実施形態〕
この第２実施形態は、上記第１実施形態において、どのようなタイミングにて温度判別処理を行い、その温度判別処理の判別結果に基づいて加熱供給モード及び非加熱供給モードの何れかでの温水供給運転を行うかの別実施形態である。その他の構成については、上記第１実施形態と同様であるので、その温度判別処理を行うタイミングについて説明する。
【００７５】
上記第１実施形態では、ユニット側制御部５が、モード指令部２１７からの指令を受けている場合には、温度判別処理を行い、その温度判別処理の判別結果に基づいて加熱供給モード及び非加熱供給モードの何れかでの温水供給運転を行うようにしている。
この第２実施形態では、ユニット側制御部５が、温水供給運転を行うに当たり、常時、温度判別処理を行い、その温度判別処理の判別結果に基づいて加熱供給モード及び非加熱供給モードの何れかでの温水供給運転を行うようにしている。つまり、図５におけるステップ＃１を省略しており、ユニット側制御部５は、高温水利用端末１５の端末側リモコン２１４から運転要求を受けると、常に、温度判別処理を行う。そして、ユニット側制御部５は、貯湯タンク２に貯湯されている温水温度がモード判別用設定温度以上であれば、非加熱供給モードを実行し、貯湯タンク２に貯湯されている温水温度がモード判別用設定温度未満であれば、加熱供給モードを実行する。
【００７６】
この第２実施形態では、端末側リモコン２１４から運転要求を受けると、ユニット側制御部５が温度判別処理を行うので、モード指令部２１７を備えなくてもよい。このようにモード指令部２１７を備えない場合には、図６のステップ＃１１を省略しており、端末側制御部２１３が、端末側リモコン２１４から運転要求を受けると、温水受入部２０５にて受け入れる温水温度がモード判別用設定温度以上であれば、温度非制限モードを実行し、温水受入部２０５にて受け入れる温水温度がモード判別用設定温度未満であると、温度制限モードを実行する。
【００７７】
〔第３実施形態〕
この第３実施形態は、上記第１及び第２実施形態において、モード判別用設定温度をどのようにして変更設定するかの別実施形態である。その他の構成については、上記第１及び第２実施形態と同様であるので、モード判別用設定温度を変更設定する構成について説明する。
【００７８】
このモード判別用設定温度を変更設定するために、図１に示した入力部２１０と同様に、図示は省略するが、ユニット側リモコンや端末側リモコン２１４には、装備される高温水利用端末１５に要求される要求温度についての温度情報を入力自在な人為操作式の入力部が備えられている。この入力部は、例えば、押圧式や回転式の操作部を備えており、その操作部を使用者が操作することで、高温水利用端末１５の要求温度についての温度情報を入力自在となっている。この実施形態では、例えば、８０℃の要求温度と６０℃の要求温度とを要求できるようになっている。
【００７９】
このように、入力部にて高温水利用端末１５の要求温度についての温度情報が入力されると、ユニット側制御部５及び端末側制御部２１３は、ユニット側リモコン端末側リモコン２１４との通信により、その入力情報を取得して、どんな要求温度が要求されているかを認識することができる。よって、ユニット側制御部５及び端末側制御部２１３は、例えば、８０℃の要求温度が設定されている場合には、モード判別用設定温度を７０℃に設定しており、６０℃の要求温度が設定されている場合には、モード判別用設定温度を５０℃に設定している。
【００８０】
上記第１実施形態では、装備される熱電併給装置１の種類に応じてモード判別用設定温度を変更設定し、この第３実施形態では、装備される高温水利用端末１５に要求されている要求温度に応じてモード判別用設定温度を変更設定している。この構成に代えて、装備される熱電併給装置１の種類と装備される高温水利用端末１５に要求されている要求温度との両方に応じて、モード判別用設定温度を変更設定することもできる。これにより、熱供給設備に装備される温水利用端末と熱電併給装置との両方の特性を考慮して、加熱供給モードと非加熱供給モードとの間でモード切換閾値温度となるモード判別用設定温度を変更設定できる。
【００８１】
〔別実施形態〕
（１）上記第１〜第３実施形態では、温度判別処理の判別結果に基づいて加熱供給モード及び非加熱供給モードの何れかでの温水供給運転として、高温水利用端末１５に温水を供給する温水供給運転を行う場合を例示しているが、温水利用端末としては、高温水利用端末１５に限るものではなく、低温水利用端末１４に温水を供給する温水供給運転としても、温度判別処理の判別結果に基づいて加熱供給モードと非加熱供給モードの何れかでの温水供給運転を行うようにしてもよい。この場合には、上記第３実施形態のように、装備される温水利用端末に要求される要求温度に応じてモード判別用設定温度を変更設定する際に、装備される低温水利用端末１４に要求される要求温度を用いることになり、このときの要求温度としては、例えば、７５℃の要求温度、６０℃の要求温度、４０℃の要求温度の３つの要求温度に変更設定することができる。そして、例えば、低温水利用端末１４の要求温度を７５℃とした場合には、モード判別用設定温度を６０℃に設定し、低温水利用端末１４の要求温度を６０℃とした場合には、モード判別用設定温度を４０℃に設定することができる。
【００８２】
（２）上記第１〜第３実施形態では、高温水利用端末１５として浴室乾燥装置２００を適応した例を示したが、温水の供給を受けてその温水を用いて除湿運転や加湿運転を行うデシカント装置や、温水の供給を受けてその温水を用いて暖房運転や冷房運転を行う空調装置等、その他の温水利用端末を適応することもできる。
【００８３】
図８及び図９に基づいて、高温水利用端末１５として、デシカント装置３００を適応した場合について説明する。デシカント装置３００は、回転駆動する通気性吸湿体からなるデシカントロータ３０１を有しており、そのデシカントロータ３０１の吸湿部３０２又は再生部３０３に気体を通流させて空調用空気として空調対象空間３０４に供給するように構成されている。そして、第２ユニットＹ２は、第２放熱部１２において生成された温水をデシカント装置３００に供給することで、デシカント装置３００は、その温水を用いて運転を行うように構成されている。
【００８４】
デシカント装置３００は、供給される気体とデシカントロータ３０１の吸湿部３０２を通過した気体を熱交換させる第１熱交換器３０５と、その第１熱交換器３０５を通過した気体を温水にて加熱する温水加熱器３０６と、気体の通流状態を切換自在な通流状態切換手段３０７とを備えている。温水加熱器３０６には、第２放熱部１２にて生成された温水を供給することで、その温水にて第１熱交換器３０５を通過した気体を加熱するように構成されている。デシカント装置３００は、気体として、外気である第１気体ＯＡと空調対象空間３０４の空気である第２気体ＲＡとを各機器に通流させており、第１気体ＯＡ及び第２気体ＲＡを通流させるための駆動源として第１ファン３０８と第２ファン３０９とを備えている。
【００８５】
通流状態切換手段３０７は、第１四方弁３１０と第２四方弁３１１を備えている。通流状態切換手段３０７は、第１四方弁３１０と第２四方弁３１１の状態を切り換えることで、第１気体ＯＡ及び第２気体ＲＡがどのような順序でどのような機器を通過するかを切り換えている。図８及び図９は、第１気体ＯＡ及び第２気体ＲＡの通流状態を示すものであり、通流状態切換手段３０７は、図８に示す第１切換状態と図９に示す第２切換状態とに切換自在に構成されている。
【００８６】
第１切換状態では、図８に示すように、通流状態切換手段３０７が、第１四方弁３１０と第２四方弁３１１を切り換えることで、デシカントロータ３０１の吸湿部３０２、第１熱交換器３０５の順に第１気体ＯＡを通過させて空調用空気として空調対象空間３０４に供給し、且つ、第１熱交換器３０５、温水加熱器３０６、デシカントロータ３０１の再生部３０３の順に第２気体ＲＡを通過させている。第１気体ＯＡは、デシカントロータ３０１の吸湿部３０２にて除湿され、その除湿された第１気体ＯＡが第１熱交換器３０５にて熱交換される。これにより、除湿された第１気体ＯＡを空調用空気として空調対象空間３０４に供給して、空調対象空間３０４の除湿運転を行うことができる。第１熱交換器３０５を通過した第２気体ＲＡは、温水加熱器３０６において温水にて加熱されて、再生部３０３でのデシカントロータ３０１の再生を適切に行うことができる。再生部３０３を通過した第２気体ＲＡは、外部に排気されている。
【００８７】
第２切換状態では、図９に示すように、通流状態切換手段３０７が、第１四方弁３１０と第２四方弁３１１を切り換えることで、第１熱交換器３０５、温水加熱器３０６、デシカントロータ３０１の再生部３０３の順に第１気体ＯＡを通過させて空調用空気として空調対象空間３０４に供給し、且つ、デシカントロータ３０１の吸湿部３０２、第１熱交換器３０５の順に第２気体ＲＡを通過させている。第１熱交換器３０５を通過した第１気体ＯＡは、温水加熱器３０６において温水にて加熱されて、デシカントロータ３０１の再生部３０３に供給される。再生部３０３では、デシカントロータ３０１の再生を適切に行うことができながら、第１気体ＯＡが加湿される。このようにして、加湿された第１気体ＯＡを空調用空気として空調対象空間３０４に供給して、空調対象空間３０４の加湿運転を行うことができる。第２気体ＲＡについては、デシカントロータ３０１の吸湿部３０２にて除湿されて加熱されるので、第１熱交換器３０５にて第１気体ＯＡを適切に加熱することができる。第１熱交換器３０５を通過した第２気体ＲＡは、外部に排気されている。
【００８８】
このようにして、高温水利用端末１５としてデシカント装置３００を適応した場合には、温水の供給を受けるとその温水を温水加熱器３０６に供給することで、除湿運転及び加湿運転を行うようにしている。そこで、図外の端末制御部は、除湿運転及び加湿運転を行うに当たり、温度制限モードと温度非制限モードを実行可能に構成されている。
【００８９】
（３）上記第１〜第３実施形態では、貯湯タンク２に貯湯されている温水を熱源とする温水を高温水利用端末１５に供給するに当たり、第２放熱部１２を備えて、貯湯タンク２から取り出した温水にて湯水を加熱して温水を生成し、その生成した温水を高温水利用端末１５に供給している。この構成に代えて、例えば、貯湯タンク２に貯湯されている温水をそのまま高温水利用端末１５に供給することもでき、高温水利用端末１５に供給する温水は貯湯タンク２の温水を熱源とするものであればよく、どのようにして供給するかの温水供給構成については適宜変更が可能である。
【００９０】
（４）上記第１及び第２実施形態では、装備される熱電併給装置１の種類についての種類情報を入力する入力部２１９を端末側リモコン２１４に備えているが、例えば、ユニット側リモコンに備えることもでき、或いは、端末側リモコン２１４やユニット側リモコンとは別に、ユニット側制御部５及び端末側制御部２１３と通信自在な入力部を備えるようにしてもよい。
【００９１】
（５）上記第１及び第２実施形態では、熱電併給装置１として３種類の熱電併給装置を例示したが、例えば、装備される熱電併給装置１の種類数については、適宜変更が可能であり、２種類でも、４種類以上としてもよい。
【産業上の利用可能性】
【００９２】
本発明は、熱と電力を発生する熱電併給装置と、その熱電併給装置にて発生する熱を温水として貯湯する貯湯タンクと、温水の供給を受けてその温水を用いた運転を行う温水利用端末と、前記貯湯タンクに貯湯されている温水を熱源とする温水を前記温水利用端末に供給する温水供給部とを備え、省エネルギー化を図りながら、温水利用端末の運転を行うための熱源として、貯湯タンクに貯湯されている温水を有効に活用することができる各種の熱供給設備に適応可能である。
【符号の説明】
【００９３】
１          熱電併給装置
２          貯湯タンク
４          温水供給部
５          ユニット側制御部（運転制御部）
１０        補助加熱部
１４        低温水利用端末
１５        高温水利用端末
２１７      モード指令部
２１８      モード表示部
２１９      入力部（ディップスイッチ）
【図１】
2014181830.tif 000003
【図２】
2014181830.tif 000004
【図３】
2014181830.tif 000005
【図４】
2014181830.tif 000006
【図５】
2014181830.tif 000007
【図６】
2014181830.tif 000008
【図７】
2014181830.tif 000009
【図８】
2014181830.tif 000010
【図９】
2014181830.tif 000011